(57)【要約】【課題】録画タイトルを再生することなく、録画タイトルの代表サムネイルを録画タイトル一覧に簡単に設定できるようにした録画再生装置を提供する。【解決手段】録画再生装置１０は、入力映像信号を録画タイトルとして録画する録画手段と、録画手段が録画した録画タイトルを一覧にした録画タイトル一覧を生成する録画タイトル一覧生成手段とを備える。録画再生装置１０は、ユーザにより選択された録画タイトルから、予め定めた数に従う複数枚の画像をサムネイルとして生成し、生成したサムネイルを一覧にした画像を生成するサムネイル画像生成手段と、サムネイル画像生成手段により生成したサムネイル画像を、表示手段に出力する表示出力手段とを備える。録画タイトル一覧生成手段は、表示手段に表示されたサムネイル画像からユーザにより選択されたサムネイルを、選択された録画タイトルの代表サムネイルとして録画タイトル一覧に設定する。【選択図】図１
2010093488.tif 000002
【特許請求の範囲】
【請求項１】
入力映像信号を録画タイトルとして録画する録画手段と、該録画手段が録画した録画タイトルを一覧にした録画タイトル一覧を生成する録画タイトル一覧生成手段とを備えた録画再生装置であって、
ユーザにより選択された録画タイトルから、予め定めた数に従う複数枚の画像をサムネイルとして生成し、生成したサムネイルを一覧にした画像を生成するサムネイル画像生成手段と、
該サムネイル画像生成手段により生成したサムネイル画像を、外部機器として接続された表示手段に出力する表示出力手段とを備え、
前記録画タイトル一覧生成手段は、前記表示手段に表示されたサムネイル画像からユーザにより選択されたサムネイルを、前記選択された録画タイトルの代表サムネイルとして前記録画タイトル一覧に設定することを特徴とする録画再生装置。
【請求項２】
請求項１に記載の録画再生装置において、前記表示出力手段は、前記録画タイトル一覧生成手段により代表サムネイルが設定された前記録画タイトル一覧を前記表示手段に出力することを特徴とする録画再生装置。
【請求項３】
請求項１又は２に記載の録画再生装置において、前記サムネイル画像生成手段は、前記選択された録画タイトルから複数のサムネイルを生成する際に、該選択された録画タイトルの全時間長を前記予め定めた数に従って等分に分割し、各分割点、もしくは各分割部の始点または終点の画像に基づいてサムネイルを生成することを特徴とする録画再生装置。
【請求項４】
請求項１〜３のいずれか１項に記載の録画再生装置において、前記サムネイル画像生成手段は、前記表示手段に表示されたサムネイル画像から任意のサムネイルを選択する操作入力が行われたときに、選択されたサムネイルを基準として、さらに、予め定めた数に従う複数枚の画像をサムネイルとして生成することを特徴とする録画再生装置。
【請求項５】
請求項４に記載の録画再生装置において、前記サムネイル画像生成手段は、前記選択されたサムネイルに割り当てられた時間長を前記予め定めた数に従って等分に分割し、各分割点、もしくは各分割部の始点または終点の画像に基づいてサムネイルを生成することを特徴とする録画再生装置。
【請求項６】
請求項３又は５に記載の録画再生装置において、前記サムネイル画像生成手段は、前記サムネイルを、前記分割点の画像に時間的に最も近いフレーム内予測符号化画像に基づいて生成することを特徴とする録画再生装置。
【請求項７】
請求項６に記載の録画再生装置において、前記フレーム内予測符号化画像は、ＭＰＥＧ符号化方式におけるＩピクチャであることを特徴とする録画再生装置。
【発明の詳細な説明】
【技術分野】
【０００１】
本発明は、録画再生装置、より詳細には、録画されている録画タイトルの一覧に各録画タイトルの代表サムネイルを設定する機能を備えた録画再生装置に関する。
【背景技術】
【０００２】
放送番組などの映像情報を録画タイトルとして記録（録画），再生する録画再生装置としてのデジタルレコーダが普及している。従来のデジタルレコーダにおいては、録画タイトルを一覧表示させるときに、各録画タイトルを代表するサムネイルを一覧表示できるようにしたものが知られている（例えば、特許文献１を参照）。そしてユーザは任意のサムネイルを選択することで、そのサムネイルに相当する録画タイトルを再生させて視聴することができる。
【０００３】
上記のように、録画タイトル一覧に各録画タイトルの代表サムネイルを表示する場合、各録画タイトルの所望のシーンの画像を代表サムネイルとして設定することが一般的に行われており、これらの代表サムネイルはユーザの操作により適宜変更できるようになっている。
【０００４】
図７は、従来の録画再生装置による代表サムネイル画像の設定方法の例を説明するための図である。ここでは「サムネイル設定・変更画面」から代表サムネイルを設定する場合について説明する。ユーザは、録画再生装置に対してリモコン等を操作することにより、特定の録画タイトルの「サムネイル設定・変更画面」を表示させ、この画面上で録画タイトルを再生しながら、代表サムネイルに設定したい所望のシーンを探してそのシーンの画像を指定する。これにより指定されたシーンの画像をキャプチャして、代表サムネイルとして取り込むことができる。
【特許文献１】特開２００７−１３４０１０号公報
【発明の開示】
【発明が解決しようとする課題】
【０００５】
しかしながら、前述の図７に示したような従来の方法では、各録画タイトルを再生しながら、ユーザが所望のシーンを探してキャプチャ画面を生成し、このキャプチャ画面を代表サムネイルに設定するという非常に複雑で面倒な操作を必要としていた。
【０００６】
すなわち、代表サムネイルにする画像を選択するための編集点は録画タイトルを再生しながらユーザによって探されて決定されていた。ユーザは、代表サムネイルとして選択する編集点を探すための編集作業において、ＣＭ部分などの代表サムネイルにならない部分を高速再生し、高速再生されている画像を確認しながら、本編付近になると、再生を止めたり、再生速度を落としたり、コマ送りを行うなどして、代表サムネイルにすべき画像の位置を確認し、必要に応じて少し巻き戻しを行うなどの操作入力を行い、編集点を確定していた。このように従来の方法では、代表サムネイルの編集点を探す編集作業の操作入力が非常に煩雑且つ面倒であり、ユーザにとって大きな負担となっていた。
【０００７】
本発明は、上述のごとき実情に鑑みてなされたものであり、録画タイトルを再生することなく、録画タイトルの代表サムネイルを録画タイトル一覧に簡単に設定できるようにした録画再生装置を提供すること、を目的とする。
【課題を解決するための手段】
【０００８】
上記課題を解決するために、第１の技術手段は、入力映像信号を録画タイトルとして録画する録画手段と、該録画手段が録画した録画タイトルを一覧にした録画タイトル一覧を生成する録画タイトル一覧生成手段とを備えた録画再生装置であって、ユーザにより選択された録画タイトルから、予め定めた数に従う複数枚の画像をサムネイルとして生成し、生成したサムネイルを一覧にした画像を生成するサムネイル画像生成手段と、該サムネイル画像生成手段により生成したサムネイル画像を、外部機器として接続された表示手段に出力する表示出力手段とを備え、前記録画タイトル一覧生成手段は、前記表示手段に表示されたサムネイル画像からユーザにより選択されたサムネイルを、前記選択された録画タイトルの代表サムネイルとして前記録画タイトル一覧に設定することを特徴としたものである。
【０００９】
第２の技術手段は、第１の技術手段において、前記表示出力手段は、前記録画タイトル一覧生成手段により代表サムネイルが設定された前記録画タイトル一覧を前記表示手段に出力することを特徴としたものである。
【００１０】
第３の技術手段は、第１又は第２の技術手段において、前記サムネイル画像生成手段は、前記選択された録画タイトルから複数のサムネイルを生成する際に、該選択された録画タイトルの全時間長を前記予め定めた数に従って等分に分割し、各分割点、もしくは各分割部の始点または終点の画像に基づいてサムネイルを生成することを特徴としたものである。
【００１１】
第４の技術手段は、第１〜第３のいずれか１の技術手段において、前記サムネイル画像生成手段は、前記表示手段に表示されたサムネイル画像から任意のサムネイルを選択する操作入力が行われたときに、選択されたサムネイルを基準として、さらに、予め定めた数に従う複数枚の画像をサムネイルとして生成することを特徴としたものである。
【００１２】
第５の技術手段は、第４の技術手段において、前記サムネイル画像生成手段は、前記選択されたサムネイルに割り当てられた時間長を前記予め定めた数に従って等分に分割し、各分割点、もしくは各分割部の始点または終点の画像に基づいてサムネイルを生成することを特徴としたものである。
【００１３】
第６の技術手段は、第３又は第５の技術手段において、前記サムネイル画像生成手段は、前記サムネイルを、前記分割点の画像に時間的に最も近いフレーム内予測符号化画像に基づいて生成することを特徴としたものである。
【００１４】
第７の技術手段は、第６の技術手段において、前記フレーム内予測符号化画像は、ＭＰＥＧ符号化方式におけるＩピクチャであることを特徴としたものである。
【発明の効果】
【００１５】
本発明によれば、録画タイトル内の複数の画像をサムネイル化し、一覧としてユーザにより選択可能に表示することにより、録画タイトルを再生することなく、録画タイトルの代表サムネイルを録画タイトル一覧に簡単に設定することができる。
また、ユーザは録画タイトル内の複数のサムネイルを視認することができるため、その録画タイトルにどのようなシーンが存在するか容易に把握することができる。
また、録画タイトルを再生しながら所望の画像を探す従来方法と異なり、録画タイトル内の複数の画像を比較しながら代表サムネイルとして最適な画像を選択することが可能となる。
【発明を実施するための最良の形態】
【００１６】
以下、添付図面を参照しながら、本発明の録画再生装置に係る好適な実施の形態について説明する。
【００１７】
図１は、本発明の一実施形態に係る録画再生装置の構成例を示すブロック図で、図中、１０は録画再生装置を示す。録画再生装置１０は、チューナ１２と、エンコーダ１３と、外部記録媒体（ＢＤ，ＤＶＤ等）を装着してデータの入出力（書き込み／読み出し）を行う入出力インタフェイス（入出力Ｉ／Ｆ）１４と、装置全体の処理を制御するためのＣＰＵやＲＯＭ等で構成される制御部１５と、デコーダ１６と、ＨＤ（ハードディスク）１７と、リモコン等の操作入力手段からの操作信号を受光する受光部を備えたリモコン受信手段１８と、アンテナ１１を経由して受信したタイトルや録画されたタイトルを外部接続される図示しない表示装置（例えば、ＣＲＴ装置やプラズマ表示装置、液晶表示装置、有機／無機ＥＬ装置などの表示手段）に出力する表示出力手段１９とを備えている。また、表示出力手段１９は、制御部１５の制御によって生成される録画タイトルの一覧や、特定の録画タイトルから生成した複数のサムネイルの一覧などを上記表示装置に出力する。
【００１８】
図１に示す録画再生装置１０は、アナログ放送波とデジタル放送波の両方を受信できる構成を有しているが、いずれか一方の放送波のみを受信できる構成としてもよい。また、録画再生装置１０は、例えば、デジタルチューナ内蔵のハードディスクレコーダもしくはＢＤ（Ｂｌｕ−Ｒａｙ）レコーダやＤＶＤレコーダ、ハードディスク一体型ＢＤレコーダやＤＶＤレコーダ、あるいはデジタルチューナを外部接続可能なハードディスクレコーダもしくはＢＤレコーダやＤＶＤレコーダ、ハードディスク一体型のＢＤレコーダやＤＶＤレコーダなどに用いることができる。また、デジタルチューナを外部接続とした場合にはチューナ１２を不要としてもよい。
【００１９】
また、記録媒体としてＨＤ（ハードディスク）と、ＢＤもしくはＤＶＤの可搬型の記録媒体とを用いることができるが、記録媒体をこれらに限定しているものではなく、タイトルを録画できる全ての記録媒体に応用することが可能である。なお録画タイトルとは、録画した番組データそのものを指すものである。
【００２０】
録画再生装置１０を用いてデジタル放送を視聴する場合、チューナ１２は、アンテナ１１から入力された高周波信号（デジタル変調信号）を復調し、その復調信号をデコーダ１６に入力する。デコーダ１６は、入力された復調信号を映像信号と音声信号に復号した後、その復号信号から表示制御出力信号を生成し、その表示制御出力信号を表示出力手段１９に出力する。表示出力手段１９から出力された表示制御出力信号は、録画再生装置１０に接続されたテレビなどの表示装置に入力され、その表示画面により、ユーザは表示制御出力信号に対応したデジタル放送番組を視聴することができる。
【００２１】
録画再生装置１０を用いてアナログ放送番組を録画する場合、チューナ１２は、アンテナ１１から入力された高周波信号（アナログ変調信号）を復調し、その復調信号をエンコーダ１３により符号化する。更に、符号化したデータを記録に適した形式（ストリーム）に変換してＨＤ１７又はＢＤ等の各種記録媒体に録画タイトルとして録画する。
また、録画再生装置１０を用いてデジタル放送番組を録画する場合、チューナ１２は、アンテナ１１から入力された高周波信号（デジタル変調信号）を復調してＨＤ１７又ＢＤ等の各種記録媒体に録画する。
【００２２】
ＨＤ１７又はＢＤ等に録画されている番組のタイトルを録画再生装置１０により再生する場合、デコーダ１６は、ＨＤ１７又はＢＤ等に記録されている録画タイトルのデータを復号した後、映像出力可能な形式に変換して表示出力手段１９に出力する。表示出力手段１９から出力された表示制御出力信号は、録画再生装置１０に接続されたテレビなどの表示装置に入力され、その表示画面により、ユーザは表示制御出力信号に対応した録画タイトルを視聴することができる。
【００２３】
本発明に係る実施形態では、録画タイトルを再生することなく、録画タイトルの代表サムネイルを録画タイトル一覧に設定できるようにするために、録画タイトル一覧をテレビ等の表示装置で表示させる表示画面において、１タイトルを複数に分割してそのサムネイルを一覧で表示し、任意のサムネイルをユーザが選択することで、そのタイトルの代表サムネイルを録画タイトル一覧に設定できるようにする。
【００２４】
つまり録画再生装置１０は、入力映像信号を録画タイトルとして録画する録画手段と、その録画手段が録画した録画タイトルを再生する再生手段とを備えていて、録画されている録画タイトルを一覧にした録画タイトル一覧を生成する録画タイトル一覧生成手段と、
録画タイトル一覧の表示画面などから特定の録画タイトルをユーザにより選択する操作入力が行われたときに、選択された録画タイトルから、予め定めた数に従う複数枚の画像をサムネイルとして生成し、生成したサムネイルを一覧にした画像を生成するサムネイル画像生成手段と、そのサムネイル画像生成手段により生成したサムネイル画像を、外部機器として接続された表示手段に出力する表示出力手段とを備える。録画タイトル一覧生成手段は、表示手段に表示されたサムネイル画像からユーザにより選択されたサムネイルを、選択された録画タイトルの代表サムネイルとして録画タイトル一覧に設定する。これら各手段の機能は、録画再生装置１０が保持するプログラムを制御部１５が実行し、装置各部を制御することで実現される。
【００２５】
図２は、録画タイトルを複数に分割した分割点におけるサムネイルの表示例を示す図である。本発明に係る実施形態の特徴として、録画再生装置１０では、録画されている録画タイトルをテレビ等の表示装置に表示させる際に、１つの録画タイトルを等時間間隔で複数に分割し、その分割点にほぼ相当する位置のサムネイルを時間順に順次生成していき、画面内に並べて一覧にして表示させていくようにする。録画タイトルを予め定められた分割数に分割して、サムネイルを一覧した画像を生成する処理は、制御部１５で所定のプログラムを実行することによって実行される。
【００２６】
このときの分割数としては、例えば２８分割を選ぶことができるが、勿論これに限らず、適宜分割数を設定しておくことができる。２８に分割したときに、例えば、各分割部の始点部分のサムネイルを生成して、２８枚のサムネイルを得るようにしてもよく、あるいは各分割部の終点部分のサムネイルを生成して同じく２８枚のサムネイルを得るようにしてもよく、もしくは分割部の境界部分（分割部）のサムネイルを生成して、計２７枚のサムネイルを得るようにしてもよい。以下では、サムネイルを作成する点を単に分割点として説明する。
【００２７】
上記のように１つの録画タイトルから複数のサムネイルを生成する際に、録画タイトルを等時間間隔で複数（例えば２８）に分割し、その分割点の画像に基づいてサムネイルを生成するが、ここで実際にサムネイルの生成に用いる画像としては、上記の分割点に時間的に最も近いＩピクチャのフレームデータを用いる。
上記のように１つの録画タイトルを複数に分割して、分割部のサムネイルを一覧で表示させる際に、サムネイルの生成速度を速くするためにＭＰＥＧ（Moving Picture Experts Group）にて符号化された各ピクチャ情報のうち、Ｉピクチャについてサムネイルを生成する。サムネイルを生成するＩピクチャは、上記のように分割点に時間的に最も近いＩピクチャを選択するものとする。
【００２８】
Ｉピクチャ、Ｐピクチャ、及びＢピクチャは、周知のようにＭＰＥＧ−Ｖｉｄｅｏにおけるフレームデータを示すものである。ＭＰＥＧ符号化方式は、ノンインタレースのフレーム動画像の符号化に使用され、ＣＤ−ＲＯＭなどの蓄積メディアにて動画像のランダムアクセスを可能としている。そのために、１個のＩピクチャ、複数個のＰピクチャ／Ｂピクチャからなるピクチャグループを１個の単位として符号化データ中に配置し、ピクチャグループ単位での再生を可能としている。
【００２９】
Ｉピクチャは動画像の再生の起点となる画像でありフレーム内予測符号化にて静止画モードにより符号化される。Ｐピクチャは時間的に前のＩピクチャまたはＰピクチャから動き補償フレーム間予測により符号化される。ＢピクチャはＩピクチャとＰピクチャの間、またはＰピクチャとＰピクチャの間に複数個あり、時間的に前（順方向）、または後（逆方向）、または前後（双方向）のピクチャを利用して動き補償フレーム間予測により符号化される。順方向、逆方向、双方向のどのモードを使うかはマクロブロックごとに選択でき、予測差分が最も小さくなるモードが選択される。
【００３０】
すなわち、本実施形態においては、１タイトルを時間方向に複数に分割して、分割部分のサムネイルを一覧で表示させる際に、分割点に最も近いＩピクチャのデータを再生してサムネイルを生成し、生成した各サムネイルを生成順に順次一覧にして表示していく。サムネイルを生成するには、録画タイトルのピクチャデータを再生する必要があるが、上記のようにＩピクチャのデータはそれ自体で１つの画像を生成できるのに対して、Ｐピクチャ、及びＢピクチャを再生するためにはまずＩピクチャを再生する必要があり、Ｉピクチャのみを再生するよりも時間がかかる。サムネイル生成に際して、常にＩピクチャを用いることにより、再生時間を短縮してサムネイルの生成速度を速くすることができる。
【００３１】
Ｉピクチャを１つ含むＧＯＰ（グループ・オブ・ピクチャ）は、１５枚のピクチャから構成されることから、１秒間に３０フレームの映像では、少なくとも０．５秒以内にＩピクチャが現れる。従って１つの録画タイトルを複数に分割した分割点にほぼ一致する位置でサムネイルを生成することができる。
【００３２】
上記のごとくのサムネイルの一覧表示により、１つの録画タイトル中のどのあたりにどのようなシーンが録画されているのかをユーザが一目瞭然で判別することができる。本実施形態の手法によれば、チャプタの一覧表示とは違い、録画タイトルに対して予めチャプタマークを付与しておく必要はない。
【００３３】
また、図２に示すように録画タイトルのサムネイルを一覧で表示する際に、各サムネイルの時間情報Ｔをサムネイルごとに表示させるようにする。例えば、録画タイトルの開始時間を“０（００時間００分００秒）”とし、各サムネイルについて開始点からの経過時間情報を表示させるようにすることができる。制御部１５では、１つの録画タイトルから複数のサムネイルを生成する際に、その分割数に応じて開始時間からの経過時間を計算または取得し、サムネイルと共に表示させるようにする。また、サムネイルに表示する時間情報は、上記のような録画タイトルの開始点からの経過時間ではなく、録画を行ったときの実時間情報を用いるようにしてもよい。このように、録画タイトル中における各サムネイルの時間情報Ｔを表示することで、ユーザビリティを向上させることができる。
【００３４】
そして、例えば、１時間の番組を録画した録画タイトルにおいて、その録画タイトル内のサムネイルを一覧表示した画面から、ユーザが所望のサムネイルにフォーカス（カーソル）を移動させて選択することにより、その選択したサムネイルを当該録画タイトルの代表サムネイルとして録画タイトル一覧に設定することができる。所望のサムネイルにフォーカスを移動させる操作は、例えば、録画再生装置１０を操作するために備えられているリモコンの方向キーを押すことによって実行でき、また、移動したサムネイルを選択して当該録画タイトルの代表サムネイルとして録画タイトル一覧に設定する操作は、リモコンに備えられたカラーボタンや予め割り当てられた設定ボタンなどの操作を行うことにより実行できるようにする。
【００３５】
すなわち、録画タイトルを再生しながら所望のシーンを選択してサムネイルとして設定するという従来の複雑な方法によらず、その録画タイトル内に含まれる複数の画像のサムネイルを一覧表示して、その中から１つのサムネイルを選択するという簡単な方法により、各録画タイトルの代表サムネイルを録画タイトル一覧に設定することができる。
【００３６】
また、本発明に係る実施形態では、録画タイトルを分割して生成した各サムネイルのデータは、ＨＤに保存することなく、一旦バッファに保持して表示出力手段１９に表示させ、サムネイル一覧の画面が消去された場合には生成したデータも廃棄する。そして再度同じタイトルのサムネイルの生成が指示された場合には、再度同じ処理を繰り返して、その都度サムネイルの一覧を生成する、これにより、ＨＤにサムネイルを保存する必要がなく、ＨＤの記録領域をサムネイルによって消費することを回避することができる。
【００３７】
上記の処理によって、タイトルのサムネイルを作成する際には、分割位置に最も近いＩピクチャを再生してサムネイルを生成し、順に表示していく処理が行われる。つまりタイトル内のサムネイルの生成・表示処理が逐次的に行われていき、画面上では、時間的に速いサムネイルから順番に表示されていくことになる。
例えば、一旦生成したサムネイルをＨＤに保存しておき、そのＨＤからサムネイルを読み出して表示させる従来の処理よりも、本実施形態によるサムネイル表示の方が速度的に劣る場合であっても、本実施形態では、サムネイルを生成する過程をあえてユーザに見せることで、どの時点でどのシーンが記録されているかをよりユーザに認識させることができる、という効果が得られる。
【００３８】
図３は、録画タイトルを複数に分割した分割点におけるサムネイルの他の表示例を示す図である。本例のサムネイル一覧は、図２に示したサムネイル一覧よりもさらに分割点を増やして、階層的により多くのサムネイル一覧を表示させるようにしたものである。すなわち、図２に示したサムネイル一覧から任意のサムネイルを選択する操作入力が行われたときに、選択されたサムネイルを基準として、さらに、予め定めた数に従う複数枚の画像をサムネイルとして生成する。この場合も前述の図２で説明した方法と同様に、選択されたサムネイルに割り当てられた時間長を予め定めた数に従って等分に分割し、各分割点、もしく各分割部の始点または終点の画像に基づいてサムネイルを生成する。
【００３９】
図３において、具体例として、図２に示したサムネイル一覧の中で、「サムネイル１１」が選択された場合について説明する。この「サムネイル１１」に割り当てられた時間帯（例えば３分）をさらに細かく分割した状態を示す。この「サムネイル１１」は「サムネイル１０」と「サムネイル１２」の間に位置するが、この間の時間長（例えば３分）を予め定めた数に従って等分に分割し、各分割点の画像に基づいてサムネイルを生成する。この分割数は、図２に示したように２８分割としてもよいし、２８分割以外であってもよく、録画タイトルの全時間長に応じて適宜決定すればよい。
【００４０】
図４及び図５は、本発明に係る録画タイトル一覧である録画リストの表示画面の一例を示す図である。
録画再生装置１０に録画されているタイトルのリストを表示させる場合、例えば、ユーザは、録画再生装置１０を操作するためのリモコンに備えられた録画リストボタンを押すことにより、録画再生装置１０の録画リストを表示させることができる。勿論、録画リストの表示は、このような専用ボタンに限ることなく、特定のメニュー操作や、特定のキー操作によって実行させるようにしてもよい。
【００４１】
録画リストの画面例として、図４に示すようなタイトル名リストを用いた録画リスト画面２０を表示させることができる。ここでは、現在録画再生装置１０のＨＤに録画されている録画タイトルのタイトル名リスト２１が表示される。タイトル名リスト２１の各タイトルには、タイトル名２１ａ、月日と曜日情報２１ｂ、録画時間情報２１ｃ、画質情報２１ｄが示される。また、カーソルが位置する録画タイトルについて、その詳細情報２２が表示される。詳細情報２２は、カーソルの移動に伴って変化する。また、録画タイトルは新しい（もしくは古い）順、タイトル名順、視聴／未視聴別、データ量順などの条件に従って並べ換えることもできる。また、録画リスト画面２０には、リモコンに備えられたボタンの説明２３なども表示されている。
【００４２】
録画リストの他の画面例として、図５に示すようなインデックス画面（サムネイル）を用いた録画リスト画面３０を表示させるようにすることもできる。この録画リスト画面３０では、デフォルト（初期画面）として、例えば、各録画タイトルの最初の画面をキャプチャしたインデックス画面（サムネイル画面）を生成して、タイトルごとのインデックス画面一覧３１を表示させてもよい。これにより録画タイトルの内容を把握しやすくしている。この場合のインデックス画面は、録画タイトルごとに生成してＨＤに保持させておくものである。
【００４３】
カーソルが位置する録画タイトルについては、その詳細情報３２が表示される。詳細情報２２は、カーソルの移動に伴って変化する。また、録画タイトルは新しい（もしくは古い）順、タイトル名順、視聴／未視聴別、データ量順などの条件に従って並べ換えることもできる。また、録画リスト画面３０には、リモコンに備えられたボタンの説明３３なども表示されている。
【００４４】
これら図４及び図５の録画リスト画面２０，３０は、リモコン等の特定の操作に応じて切換表示させるようにしてもよく、常にいずれか一方の録画リスト画面２０，３０を表示させるものであってもよい。
【００４５】
そして、上記の録画リスト画面２０，３０のいずれかから、ユーザがカーソルを移動させて特定のタイトルを選択することにより、図２に示したごとくの選択タイトルのサムネイル表示が実行される。録画リスト２０，３０におけるタイトルの選択は、例えば、リモコンに備えられた特定のキーの操作により実行させることができる。そして、図２に示した選択タイトルのサムネイル表示において、ユーザによりいずれかのサムネイルが選択されると、この選択されたサムネイルが選択タイトルの代表サムネイルとして録画リストに設定される。そして、次に録画リスト３０のサムネイル表示が実行されると、選択タイトルの代表サムネイルの変更が反映された状態で表示される。
【００４６】
また、録画リスト２０，３０の特定のタイトル上にカーソルがある状態で、上記の特定のキー操作ではなく、例えば決定キーを操作することにより、図２に示すサムネイル表示ではなく、選択中のタイトルの再生を開始させるようにすることもできる。
【００４７】
図６は、本発明に係る録画再生装置による処理フローの一例を説明するための図である。ここでは、録画再生装置におけるアプリケーションモジュールと再生モジュールにおける処理を示している。アプリケーションモジュール及び再生モジュールは、録画再生装置１０で本実施形態に係わる処理を実行するソフトウェアモジュールである。ハードウェアとしては、図１に示す制御部１０の制御によって実行される処理となる。以下の例では、一時間の長さを持つタイトルについてサムネイル表示を行うときの処理例を説明する。
【００４８】
まずユーザが、録画再生装置のリモコン等の操作入力手段を操作して、特定の録画タイトルのサムネイル一覧を表示するように要求する（ステップＳ１）。録画タイトルのサムネイル一覧表示の要求は、例えば上記図４または図５に示すような録画リスト画面２０，３０から、ユーザ操作によって任意のタイトルが選択され、特定の操作によってそのタイトルのサムネイル一覧表示が指示されることにより実行される。
【００４９】
そして、アプリケーションモジュールでは、選択された録画タイトルのサムネイルの一覧表示を開始する（ステップＳ２）。ここではまず、サムネイルを表示するための枠のみを表示し、サムネイル表示は未表示とする。サムネイルを表示するための表示画面は、録画記録装置の表示出力手段１９から出力され、テレビ等の表示装置で表示される。以下のサムネイル生成時も同様である。
アプリケーションモジュールでは、再生モジュールに対して時間を指定して再生要求を行う（ステップＳ３）。ここではまず１枚目のサムネイルであるため、アプリケーションモジュールでは、“００時間００分００秒”を指定して再生モジュールに再生要求を行う。
【００５０】
これを受けて再生モジュールでは、アプリケーションモジュールにより指定された指定時間（この場合“００時間００分００秒”）に一番近いＩピクチャを再生する（ステップＳ４）。再生が完了すると、再生モジュールはアプリケーションモジュールに対して再生完了通知を送る（ステップＳ５）。アプリケーションモジュールでは、再生されたＩピクチャによりサムネイルの１枚目を表示する（ステップＳ６）。ここではステップＳ１で表示した枠内に、サムネイルの１枚目を表示させる。
【００５１】
次いで、アプリケーションモジュールでは、サムネイルの２枚目の表示するための時間を指定して再生要求を再生モジュールに送る（ステップＳ７）。ここでは録画タイトルの全長が１時間であり、２８枚のサムネイルを表示するように設定されているため、アプリケーションモジュールで指定する２枚目の時間情報は“００時間０２分０８秒”となる。
これを受けて再生モジュールでは、アプリケーションモジュールにより指定された指定時間に一番近いＩピクチャを再生する（ステップＳ８）。再生が完了すると、再生モジュールはアプリケーションモジュールに対して再生完了通知を送る（ステップＳ９）。そしてアプリケーションモジュールでは、再生されたＩピクチャによりサムネイルの２枚目を表示する（ステップＳ１０）。２枚目のサムネイルは、ステップＳ６で表示した１枚目のサムネイルに隣接して枠内に表示させる。
【００５２】
アプリケーションモジュールでは、上記と同様に、サムネイルの３枚目の表示するための時間を指定して再生要求を再生モジュールに送る（ステップＳ１１）。アプリケーションモジュールで指定する３枚目の時間情報は“００時間０４分１７秒”となる。再生モジュールでは、アプリケーションモジュールにより指定された指定時間に一番近いＩピクチャを再生する（ステップＳ１２）。再生が完了すると、再生モジュールはアプリケーションモジュールに対して再生完了通知を送る（ステップＳ１３）。アプリケーションモジュールでは、再生されたＩピクチャによりサムネイルの３枚目を表示する（ステップＳ１４）。３枚目のサムネイルは、ステップＳ９で表示した２枚目のサムネイルに隣接して枠内に表示させる。
【００５３】
そして、上記と同様の処理を繰り返し、アプリケーションモジュールからの２８枚目のサムネイルの時間（００時間５７分５１秒）を指定した再生要求（ステップＳ１５）に対して、再生モジュールでは、その指定時間に一番近いＩピクチャを再生し（ステップＳ１６）、再生完了通理を通理すると（ステップＳ１７）、アプリケーションモジュールでは、サムネイルの２８枚目を表示する（ステップＳ１８）。こうして図２に示すような、特定タイトルのサムネイル一覧表示が完成する。
【００５４】
この後、特定のサムネイルに対する選択操作があれば、その選択されたサムネイルを、録画タイトルの代表サムネイルとして録画リストに設定する処理を実行する。
【００５５】
なお、これまで、特定の録画タイトルから複数の画像を抽出する際に、録画タイトルを一定の時間間隔で分割して複数の画像を抽出する方法について説明したが、この方法に限定されるものではなく、例えば、シーンの切り替わり位置（チャプタ位置）など録画タイトルの特異点で分割するようにしてもよい。この場合も、前述の図２に示した例と同様に、特定の録画タイトルに対して、チャプタ位置で分割された分割点の画像をサムネイル表示することができる。また、これら抽出した複数の画像のサムネイルは、１画面で全て表示してもよく、複数の画面に亘って表示するようにしてもよい。
【図面の簡単な説明】
【００５６】
【図１】本発明の一実施形態に係る録画再生装置の構成例を示すブロック図である。
【図２】録画タイトルを複数に分割した分割点におけるサムネイルの表示例を示す図である。
【図３】録画タイトルを複数に分割した分割点におけるサムネイルの他の表示例を示す図である。
【図４】本発明に係る録画タイトル一覧である録画リストの表示画面の一例を示す図である。
【図５】本発明に係る録画タイトル一覧である録画リストの表示画面の他の例を示す図である。
【図６】本発明に係る録画再生装置による処理フローの一例を説明するための図である。
【図７】従来の録画再生装置による代表サムネイル画像の設定方法の例を説明するための図である。
【符号の説明】
【００５７】
１０…録画再生装置、１１…アンテナ、１２…チューナ、１３…エンコーダ、１４…入出力Ｉ／Ｆ、１５…制御部、１６…デコーダ、１７…ＨＤ、１８…リモコン受信手段、１９…表示出力手段、２０…録画リスト画面、２１…タイトル名リスト、２１ａ…タイトル名、２１ｂ…曜日情報、２１ｃ…録画時間情報、２１ｄ…画質情報、２２…詳細情報、２３…ボタンの説明、３０…録画リスト画面、３１…インデックス画面一覧、３２…詳細情報、３３…ボタンの説明。
【図１】
2010093488.tif 000003
【図２】
2010093488.tif 000004
【図３】
2010093488.tif 000005
【図４】
2010093488.tif 000006
【図５】
2010093488.tif 000007
【図６】
2010093488.tif 000008
【図７】
2010093488.tif 000009